(57)【特許請求の範囲】
【請求項１】
引戸の上端面または下端面に取付けられ隣接する引戸に係合して連動開閉させる連動引戸ユニットと、引戸の端面と框面の間に取付けされ解放位置の引戸を閉鎖位置へと自閉させる自閉引戸ユニットとに分割して備え、引戸の上下所望位置に連動引戸ユニットと自閉引戸ユニットとを組み合わせ可能に配置構成し、
引戸の戸厚よりも狭幅で引戸の開閉方向にわたる長尺状を呈し引戸の上端面または下端面に掘込して取付けされる掘込ベースと、掘込ベースの内端部に回転自在に設けられる複数のプーリと、複数のプーリの間に掛け渡される無端条体と、無端条体に固設され隣接する引戸に係合されるスライダとから一体組付けされて連動引戸ユニットがユニット構成され、これに対して、引戸の端面または框面のいずれか一方に埋設されるハウジングと、ハウジングに内蔵され引戸の開放に伴って回転する歯車機構と、ハウジングに内蔵され開放位置の引戸から閉鎖位置に向かって歯車機構に駆動力を付与する駆動機構とからなる駆動ユニットを備え、この駆動ユニットにはシート状を呈してハウジングを埋設しない端面または框面のいずれかに沿って固着され前記歯車機構を回転させるラックシートが組み合わせられて自閉引戸ユニットがユニット構成されることを特徴とする自閉式連動引戸装置。
【請求項２】
引戸の上端面または下端面に取付けられ隣接する引戸に係合して連動開閉させる連動引戸ユニットと、引戸の端面と框面の間に取付けされ解放位置の引戸を閉鎖位置へと自閉させる自閉引戸ユニットとに分割して備え、引戸の上下所望位置に連動引戸ユニットと自閉引戸ユニットとを組み合わせ可能に配置構成し、
引戸の戸厚よりも狭幅で引戸の開閉方向にわたる長尺状を呈し引戸の上端面または下端面に掘込して取付けされる掘込ベースと、掘込ベースの内端部に回転自在に設けられる複数のプーリと、複数のプーリの間に掛け渡される無端条体と、無端条体に固設され隣接する引戸に係合されるスライダとから一体組付けされて連動引戸ユニットがユニット構成され、これに対して、引戸の端面または框面のいずれか一方に埋設されるハウジングと、ハウジングに内蔵され引戸の開放に伴って回転する摩擦車機構と、ハウジングに内蔵され開放位置の引戸から閉鎖位置に向かって摩擦車機構に駆動力を付与する駆動機構とから自閉引戸ユニットがユニット構成されることを特徴とする自閉式連動引戸装置。
【発明の詳細な説明】
【０００１】
【発明の属する技術分野】
本発明は、複数の引戸を連動させる連動引戸装置、及び、開放された引戸を自動的に閉止させる自閉式引戸装置に関する。
【０００２】
【従来の技術】
この種の従来の連動引戸装置としては、例えば特許第３０３５２２４号公報に開示されるものがある。この連動引戸装置では、中央の戸の上部に無端条体（ワイヤ）を架けられたプーリと無端条体に固定されたスライダ（連結部）とからなる連動機構を設け、スライダは突起を備え、突起を隣接する２枚の戸の凹部に嵌合させて連動するものである。また、各戸の下部には戸の荷重を支える戸車が設けられ、戸車の走行するレールが各戸に対応して設けられたものであり、下荷重式の引戸に用いられる連動機構となっている。
【０００３】
また、従来の自閉式引戸装置としては、例えば図１１に示す自閉式引戸装置がある。この自閉式引戸装置９は、引戸１９の上端部の戸尻側に歯車９０ａを突出させた駆動ユニット９０を備え、上部のレール９３の内部に固定したラック９４と係合し、駆動ユニット９０内部にゼンマイを設け、引戸１９を開放時にゼンマイに駆動力を蓄積し、駆動力を解放して自閉するものである。なお、この駆動ユニット９０はランナ部材９１を備え、戸先側に設けたランナ部材９２とともに引戸１９を上部で吊っている。
【０００４】
【発明が解決しようとする課題】
ここで、特許第３０３５２２４号公報に開示されるような連動機構を備えた引戸装置、及び、図１２に示した自閉式引戸装置９のように自閉機構を備えた引戸装置はそれぞれあるものの、両者を備えた引戸装置はどこにも見あたらない。
【０００５】
また、特許第３０３５２２４号公報に開示される連動引戸装置の連動機構は、各戸の上端が上枠の上レールの凹溝にはめ込まれ、下部の戸車で荷重を支える引戸に限定されたものであり、汎用性に欠けるという問題がある。
【０００６】
また、図１２に示した自閉式引戸装置９は、駆動ユニット９０がランナ部材９１と一体になったものであり、さらに、レール９３はこの自閉式引戸装置９に専用のものであり、既存の引戸を自閉式引戸装置に改装するためには、引戸を駆動ユニット９０が取付くように作り直し、専用のレール９３に交換し、ランナ部材９１と一体になった駆動ユニット９０を取付ける必要があり、大変手間がかかる作業となり、大幅なコストアップになるという問題がある。
【０００７】
また、この自閉式引戸装置９は、上吊式の引戸に限定された設計となっており、下荷重式の引戸などへの適用には新規設計が必要となり、汎用性がなかった。
【０００８】
本発明は、このような問題点を考慮してなされたもので、連動機構と自閉機構の両者を備えた引戸装置を提供することを課題とする。
【０００９】
また、既存のランナ部材や戸車と独立して設けることが可能であり、上吊式の引戸、下荷重式の引戸、及び、外付け式の引戸にも適用可能な汎用性の高い自閉式連動引戸装置を提供することを課題とする。
【００１０】
【課題を解決するための手段】
前述の課題を解決するため、本発明に係る自閉式連動引戸装置は、次のような手段を採用する。
【００１１】
即ち、請求項１に記載のように、引戸の上端面または下端面に取付けられ隣接する引戸に係合して連動開閉させる連動引戸ユニットと、引戸の端面と框面の間に取付けされ解放位置の引戸を閉鎖位置へと自閉させる自閉引戸ユニットとに分割して備え、引戸の上下所望位置に連動引戸ユニットと自閉引戸ユニットとを組み合わせ可能に配置構成し、引戸の戸厚よりも狭幅で引戸の開閉方向にわたる長尺状を呈し引戸の上端面または下端面に掘込して取付けされる掘込ベースと、掘込ベースの内端部に回転自在に設けられる複数のプーリと、複数のプーリの間に掛け渡される無端条体と、無端条体に固設され隣接する引戸に係合されるスライダとから一体組付けされて連動引戸ユニットがユニット構成され、これに対して、引戸の端面または框面のいずれか一方に埋設されるハウジングと、ハウジングに内蔵され引戸の開放に伴って回転する歯車機構と、ハウジングに内蔵され開放位置の引戸から閉鎖位置に向かって歯車機構に駆動力を付与する駆動機構とからなる駆動ユニットを備え、この駆動ユニットにはシート状を呈してハウジングを埋設しない端面または框面のいずれかに沿って固着され前記歯車機構を回転させるラックシートが組み合わせられて自閉引戸ユニットがユニット構成されることを特徴とする。
【００１２】
この手段では、連動引戸ユニットと自閉引戸ユニットとを独立して上下所望位置に配置することが可能とされ、１枚の引戸を開放することで連動引戸ユニットにより隣接する引戸を連動して開放することを可能にするとともに、閉止する際は、自閉引戸ユニットにより隣接する引戸を伴って自閉が可能になる。
【００１４】
この手段では、戸厚よりも狭幅の掘込ベースの内部に連動機構を構成する複数のプーリ、無端条体、スライダが一体に組み込まれ、ランナ部材や戸車などとは別ユニットとされ、別個に堀込んで取付けられる。また、歯車機構と駆動機構がハウジングに内蔵されて駆動ユニットが構成され、ランナ部材や戸車などとは別ユニットとされ、別個に引戸の端面または框面に埋設される。
【００１５】
また、請求項２に記載のように、引戸の上端面または下端面に取付けられ隣接する引戸に係合して連動開閉させる連動引戸ユニットと、引戸の端面と框面の間に取付けされ解放位置の引戸を閉鎖位置へと自閉させる自閉引戸ユニットとに分割して備え、引戸の上下所望位置に連動引戸ユニットと自閉引戸ユニットとを組み合わせ可能に配置構成し、引戸の戸厚よりも狭幅で引戸の開閉方向にわたる長尺状を呈し引戸の上端面または下端面に掘込して取付けされる掘込ベースと、掘込ベースの内端部に回転自在に設けられる複数のプーリと、複数のプーリの間に掛け渡される無端条体と、無端条体に固設され隣接する引戸に係合されるスライダとから一体組付けされて連動引戸ユニットがユニット構成され、これに対して、引戸の端面または框面のいずれか一方に埋設されるハウジングと、ハウジングに内蔵され引戸の開放に伴って回転する摩擦車機構と、ハウジングに内蔵され開放位置の引戸から閉鎖位置に向かって摩擦車機構に駆動力を付与する駆動機構とから自閉引戸ユニットがユニット構成されることを特徴とする。
【００１６】
この手段では、連動引戸ユニットは請求項１と同じものが同様に取付けられる。また、摩擦車機構と駆動機構がハウジングに内蔵されて自閉引戸ユニットが構成され、ランナ部材や戸車などとは別ユニットとされ、別個に引戸の端面または框面に埋設される。
【００１７】
【発明の実施の形態】
以下、本発明に係る自閉式連動引戸装置について、その実施の形態を図面に基づいて説明する。
【００１８】
図１〜図６は、本発明に係る自閉式連動引戸装置の実施の形態（１）を示すものである。
【００１９】
この実施の形態における自閉式連動引戸装置１００は、連動引戸ユニット１１０が、引戸１ａの下端面１ｄに取付けられ、隣接する引戸１ｂに係合して連動開閉可能とし、自閉引戸ユニット１５０が引戸１ａの上端面１１と上框面Ｕの間に取付けられ、解放位置の引戸を閉鎖位置へと自閉可能とし、連動引戸ユニット１１０と自閉引戸ユニット１５０が分割して備えられている。これにより、上部をランナ部材Ｒ１で吊られた上吊式の引戸装置を自閉及び連動可能としたものである。
【００２０】
なお、後述する各実施の形態から明らかなように、引戸の上下所望位置に連動引戸ユニット１１０と自閉引戸ユニット１５０とを組み合わせ可能に配置構成することができる構成となっている。
【００２１】
連動引戸ユニット１１０は、掘込ベース２と、複数のプーリ３と、無端条体４と、スライダ５（５ａ、５ｂ）とが一体組付けされたものである。
【００２２】
掘込ベース２は、引戸１ａの戸厚ｔよりも狭幅Ｗで、引戸１ａの開閉方向にわたる長尺状を呈し、引戸１ａの下端面１ｄに掘込して、複数のビス２４で引戸１ａに取付けされている。また、掘込ベース２は、断面視略々コ字状を呈しており、基部２１と対の脚部２２とを備えている。さらに、掘込ベースの基部２１には、後述する取付ベース６の基部側へ突出するスペーサ２３を備えている。このスペーサ２３には、突起部２３ａが引戸１ａの開閉方向にわたって設けられ、スライダ５の抜け止め機能をなしている。
【００２３】
プーリ３は、掘込ベース２の内部の端部に回転自在に設けられる複数（２個）の円盤状部材であり、円盤の外周部に無端条体４が架け渡される溝３１を有している。
【００２４】
無端条体４は、複数（２個）のプーリ３の間に掛け渡されるワイヤまたはベルトであり、たるみやスリップを生じないように適度な張力を与えられて取付けられている。また、スライダ５（５ａ、５ｂ）を無端条体４に固設するための固定片４１、４１が固着されている。
【００２５】
スライダ５（５ｂ）は、無端条体４に固設され、隣接する引戸１ｂに係合されるものであり、スライダ５ａは、固定面である床面Ｆに木ねじ７２で固定されたガイドレール７に係合されるものとなっている。スライダ５（５ａ、５ｂ）は、堀込みベース２内を摺動する摺動部５３と、摺動部５３から直角に折れ曲がり水平方向に延びる連結片５２と、隣接する折戸１ｂと係合する係合片５１とからなる。
【００２６】
なお、スライダ５ａは係合溝５７を有し、ガイドレール７のガイド片７３と係合しているが、このスライダ５ａとガイドレール７の係合では、雌雄を逆にすることは容易に可能である。また、この実施の形態（１）では引戸は２つとしているが、３連の引戸の場合は、スライダ５ａが衝立１ｃの位置に設けられる引戸に係合されるものとなる。また、摺動部５３に設けた溝５４に無端条体４上の固定片４１、４１が嵌合し、溝５４の両側に延びる細溝５４ａをワイヤが通ることによりスライダ５（５ｂ）の無端条体４への固設が行われる。また、摺動部５３に抜け止め用の溝５６が設けられ、掘込ベース２のスペーサ２３の突起部２３ａと嵌合している。
【００２７】
なお、以上の連動引戸ユニット１１０に、掘込ベース２よりも狭幅Ｂで断面視略々コ字状を呈し、掘込ベース２の内部に固着されて長尺状を呈する取付ベース６を備えることもできる。
【００２８】
取付ベース６は、プーリ固定軸部材３２により、プーリ３を挟み込んで掘込ベース２に設けられたねじ孔２５に取付けられる。また、取付ベース６のコ字状内部６１には引戸１ａをガイドするガイドレール７の案内空間７１が構成されている。
【００２９】
さらに、掘込ベース２と取付ベース６とには、無端条体４を回転自在に掛け渡す複数（２個）のプーリ３の収納空間８と、無端条体４に固設されて移動するスライダ５の案内空間８１がコ字状空間として構成される。また、掘込ベース２の基部２１のスペーサ２３と取付ベース６の基部６２との間には、プーリ３が水平方向に回転自在に設けられ、掘込ベース２の脚部２２に対してスペーサ２３と取付ベース６の脚部６３とでスライダ５の案内空間８１を縦長に仕切るようになっている。
【００３０】
また、連動引戸ユニット１１０に、隣接する引戸１ｂに取付けされてスライダ５ｂに係合するガイド受け部材５５とを組み合わせることもできる。ガイド受け部材５５は、スライダ５ｂの係合片５１と嵌合する係合溝５５１を備え、木ねじ５５２で引戸１ｂに固定されている。なお、係合片５１と係合溝５５１の関係は雌雄を逆にすることは容易に可能であり、同様の機能を発揮する構成となる。
【００３１】
次に、自閉引戸ユニット１５０は、引戸１ａの上端面１１と上框面Ｕの間に取付けされ、引戸１ａを開放位置から閉鎖位置へと自閉させるためのものであって、レール２０に固着されるラックシート４０と、駆動ユニット５０とからなる。
【００３２】
引戸１ａは、上吊式の引戸であり、引戸１ａには、駆動ユニット５０を組み込むための挿入穴１２０が引戸１ａの開閉方向における戸板の略々中央の上端面１１に堀り込まれている。
【００３３】
レール２０は、上框面Ｕなどに固定され下方に略々Ｌ字状に対向する対の走行面２１０を備えたものであり、このレール２０の走行面２１０の外側２２０に沿ってラックシート４０が設けられている。なお、レール２０は、堀り込まれたレール溝に設けられても構わない。
【００３４】
ラックシート４０は、シート状を呈してレール２０の走行面２１０の外側２２０に沿うと同時に、少なくともレール２０の長さ方向の中間部Ａにわたって表面に歯車面４１０を有し、歯車機構５１０と組み合わせられて歯車機構５１０を回転させるものである。ラックシート４０の裏面４２０には両面シートが敷設されて、ラックシート４０をレール２０の走行面２１０の外側２２０に固着させている。なお、ラックシート４０はビスによる固定や接着剤による固定としても構わない。
【００３５】
また、ラックシート４０はハウジング５３０を埋設しない引戸の端面または框面のいずれかに沿って固着可能なものとしており、ハウジング５３０を框面に埋設した場合は、ラックシート４０は引戸の端面に固着されることになる。
【００３６】
駆動ユニット５０は、ラックシート４０の歯車面４１０に係合する歯車機構５１０が引戸１ａの上端部１１から突出されてなり、引戸１ａの開閉方向における戸板の略々中央の上端面１１に埋設されている。また、駆動ユニット５０には、引戸１ａの解放位置から閉鎖位置に向かって歯車機構５１０に駆動力を付与する駆動機構５２０が内蔵されている。そして、駆動ユニット５０は、上端面１１に取付けされるハウジング５３０で囲われている。したがって、歯車機構５１０は、ハウジング５３０に内蔵され、引戸１ａの開放に伴って回転するものである。
【００３７】
駆動機構５２０は、回転によってバネ力を蓄積するバネ機構５２０ａと、バネ機構５２０ａのバネ力の解放を調整するダンパー５２０ｂとからなり、ハウジング５３０に内蔵されている。なお、バネ機構５２０ａとしては通常、ゼンマイが使用されるが、ゼンマイに限らず回転によってバネ力を蓄積する機構であれば構わない。
【００３８】
さらに、駆動機構５２０として、モータ（図示しない）を使用することもできる。モータと歯車機構５１０はベルトなどで連結され、駆動される。この場合、モータは自閉の速度制御が可能なので、ダンパ５２０ｂを省略することができる。また、簡単なマイコンなどの制御機構が設けられる。
【００３９】
ハウジング５３０は、引戸１ａの上端面１１に埋め込み可能な狭幅に形成され、歯車機構５１０側に位置しており、ハウジング５３０には座金５３１が延設され、引戸１ａに木ねじ（図示しない）などで固定可能となっている。
【００４０】
ランナ部材Ｒ１は、レール２０の走行面２１０を走行するもので、引戸１ａの上端面１１に２個備えられ、引戸１ａを吊っている。
【００４１】
以上の構成による自閉式連動引戸装置１００の取付について、以下に説明する。
【００４２】
まず、既存の建て込まれている引戸からランナ部材Ｒ１、Ｒ２をレール２０内に残して引戸１を取り外す。そして、レール２０の走行面２１０の外側２２０に沿って、引戸１の全閉時の略々中央位置Ａ１から少なくともレール２の長さ方向の中間部Ａにわたって（Ａ１位置まで）ラックシート４０を固着させる。
【００４３】
そして、予め連動引戸ユニット１１０、自閉引戸ユニット１５０の取付けられた引戸１ａを近づけ、先に下部のガイドレール７にスライダ５ａの係合溝５７を嵌合させ、ラックシート４０の歯車面４１０に駆動ユニット５０の歯車機構５１０を噛合わせながら、ランナ部材Ｒ１に取付ける。ここで、引戸１ａの取付位置は引戸１ａの全閉状態位置として、駆動ユニット５０の駆動機構５２０、すなわち、バネ機構５２０ａが引戸１ａを開いた際に、回転によってバネ力を蓄積可能とする。
【００４４】
続いて、ガイド受け部材５５が取付けられた引戸１ｂを近づけ、ガイド受け部材５５の係合溝５５１にスライダ５ｂの係合片５１を嵌合させ、上部のランナ部材Ｒ２に取付ける。
【００４５】
また、引戸１を取付けた状態でラックシート４０の歯車面４１０と歯車機構５１０の歯車の噛合が不十分な場合（噛合が少ない、または、噛合がきつすぎる）は、ランナ部材Ｒ１の上下調整機構２３０により調整を行って、最適な噛合が可能なようにする。
【００４６】
なお、駆動ユニット５０は既存の引戸を追加工して後付け可能な構成となっているので、既存の建て込まれている引戸を改造（挿入孔１２を堀り込む）して駆動ユニット５０を取付けることも可能である。
【００４７】
以上の構成による自閉式連動引戸装置１００の作動について、以下に説明する。
【００４８】
図６は、自閉式連動引戸装置１００を上から見た図で、図６（ａ）の全開状態から引戸１ｂを閉じ方向へ動かすと、引戸１ｂのガイド受け部材５５の移動に伴い、係合溝５５１に嵌合されて引戸１ａに設けられたスライダ５ｂの係合片５１も閉じ方向（矢印Ａ方向）へ移動しようとする。スライダ５ｂに作用する力は、スライダ５ｂに固着された無端条体４をＡ方向に動かそうとする。ここで、もう一方のスライダ５ａは床面Ｆに固定されたガイドレール７に係合しており、スライダ５ａは動くことができないので、スライダ５ａの位置は変化せず、無端条体４及びプーリ３１ａ、３１ｂが矢印Ｃ、矢印Ｄの方向に回転することになる。これにより、引戸１ａは無端条体４に引っ張られて閉じ方向（Ａ方向）に進むことになる。引戸１ａが進む速度及び移動距離は引戸１ｂの速度及び移動距離の１／２となり、引戸１ａは全閉位置まで引戸１ｂを動かすのみで、全閉状態とすることができる。
【００４９】
図６（ｂ）の全閉状態から引戸を開くときは、前述の閉じる動きとほぼ逆の作動となる。すなわち、引戸１ｂを開く方向（Ａ’方向）へ動かすと、自閉式連動引戸装置１００によりスライダ５ｂに設けられた係合片５１が引戸１ａを動かそうとし、無端条体４及びプーリ３１ａ、３１ｂが矢印Ｃ’、矢印Ｄ’の方向に回転して、引戸１ａは開き方向へ動くようになる。したがって、引戸１ｂを全開位置まで動かすのみで、引戸１ａを全開状態とすることができる。
【００５０】
次に、自閉引戸ユニット１５０の作動について、以下に説明する。
【００５１】
引戸１ａを解放位置から閉鎖位置に向かって移動させると、引戸１ａの移動に同期して駆動ユニット５０の歯車機構５１０がレール２０に固着されたラックシート４０の歯車面４１０と係合して回転する。
そして、歯車機構５１０の回転は、駆動機構５２０に伝えられ、バネ機構５２０ａにバネ力が蓄積される。具体的には、バネ機構５２０ａのゼンマイが巻かれることになる。なお、引戸１ａが全開状態になる位置で最大のバネ力が蓄積されることになる。この時、駆動ユニット５０は、引戸１ａの全閉状態のＡ１の位置から全開状態のＡ２の位置まで移動することになる。駆動ユニット５０がＡ２の位置まで来るとそれ以上移動できないように図示しないストッパが設けられ、駆動機構５２０がラックシート４０との噛合をはずれることのないようにされている。
【００５２】
つぎに、引戸１ａから手を離すと、引戸１ａは開放位置から閉鎖位置に向かって駆動機構５２０に付与された駆動力（バネ機構５２０ａに蓄積されたバネ力）により、歯車機構５１０がラックシート４１０上を回転して自閉するようになる。その際、ダンパー５２０ｂにより、バネ力の解放を調整されるので、引戸１ａは移動速度が抑えられて閉鎖位置に向かって移動可能となる。なお、駆動機構５２０には、引戸１ａの閉鎖位置で初期荷重を与えられており、確実に自閉が可能となっている。
【００５３】
この実施の形態（１）によれば、１枚の引戸１ｂまたは１ａを開放することで連動引戸ユニット１１０により隣接する引戸１ａまたは１ｂを連動して開放することを可能にし、開放を停止すれば自閉引戸ユニット１５０により隣接する引戸を伴って自閉が可能になる。したがって、複数の引戸の開閉時に操作の煩わしさを解消することができる。
【００５４】
また、連動引戸ユニット１１０は、戸厚ｔよりも狭幅の掘込ベース２の内部に連動機構を構成する複数のプーリ３、無端条体４、スライダ５が一体に組み込まれ、ランナ部材Ｒ１などとは別ユニットとされ、別個に引戸１ａに堀込んで取付けられる。また、自閉引戸ユニット１５０は、歯車機構５１０と駆動機構５２０がハウジング５３０に内蔵されて駆動ユニット５０が構成され、ランナ部材Ｒ１などとは別ユニットとされ、別個に引戸１ａの端面１ｄに埋設される。したがって、既存のランナ部材や戸車をそのまま使用し、連動、自閉する引戸に改造できる汎用性の高い装置とすることができる。
【００５５】
図７〜８は、本発明に係る実施の形態（２）を示すものである。
【００５６】
この実施の形態における自閉式連動引戸装置２００は、下戸車式の引戸に対して適用するものであり、実施の形態（１）の連動引戸ユニット１１０を引戸の上部に持ってきて、自閉引戸ユニットを下部に持ってきたものである。すなわち、実施の形態（１）の自閉式連動引戸装置１００の上下を逆にしたものである。
【００５７】
この引戸は、ドア枠１ｃにかぶせて取付ける外付け式の引戸で、引戸１ａ、１ｂの上部にはガイドレールＧが壁面Ｋに取付けられ水平に張り出して設けられ、ガイドレール７がボルト、ナットで固定されている。また、隣接する引戸１ｂの上部には、ガイドローラ７４が設けられ、ガイドレールＧのレール溝７５にガイドされている。また、引戸１ｂの下部には、戸車９００と、戸車９００が走行するレール９１０と、戸車９００の調整機構９２０などが設けられて支持されている。
【００５８】
また、下部の自閉引戸ユニット２５０は、実施の形態（１）の自閉引戸ユニット１５０からラックシートの取付が変更されたのみである。
【００５９】
ラックシート４０は、下部のレール４０１に走行面４２１と平行して、床面Ｆから堀り込まれたラック溝４０２の下面４０２ａに固着される。なお、ラックシート４０は床面Ｆに直接取付けても構わない。
【００６０】
この実施の形態の自閉式連動引戸装置２００によれば、実施の形態（１）と同様の作用、効果が奏されるので、下戸車式の引戸に対しても上吊式の引戸と同じユニットが使用でき、汎用性が高められる。その結果、安価な連動引戸装置とすることができる。
【００６１】
図９〜１０は、本発明に係る実施の形態（３）を示すものである。
【００６２】
この実施の形態における自閉式連動引戸装置３００は、実施の形態（１）の自閉引戸ユニット１５０を変更したもので、歯車機構５１０を摩擦車機構３５１に変更し、ラックをなくしたものである。
【００６３】
摩擦車機構３５１は、上部のレール２０の下面２０ａに直接当接させて摩擦係合させるものである。したがって、ガイドレールの下面２０ａ及び摩擦車機構３５１の間の摩擦係数が高い材料を選択するのが望ましい。または、レール２０と摩擦車機構３５１の摩擦面３０１に、摩擦係数を高めるライナーを貼り付けることも有効である。
【００６４】
なお、摩擦車機構３５１とすることでダンパ５２０ｂに駆動力を伝達するために、ダンパ５２０ｂ駆動用の小さな歯車３５１ａを設けておく必要がある。
【００６５】
なお、駆動ユニット３５０には、実施の形態（１）で示した駆動機構５２０（バネ機構５２０ａ、モータ５２０Ｍ）を使用することができ、モータ５２０Ｍを使用した場合は、前述の通り、ダンパ５２０ｂを省略することが可能である。
【００６６】
この実施の形態（３）の自閉式引戸装置３００によれば、下荷重式の引戸装置において、実施の形態（１）と同様の作用、効果が奏されることに加え、ラックをなくし、歯車を摩擦車にできる（歯を切らなくて済む）ので、より安価な自閉式引戸装置３００とすることができる。
【００６７】
なお、各実施の形態では、引戸は２枚としているが、引戸を３連の連動式にすることは、衝立１ｃの位置に３枚目の引戸を設け、スライダ５ａを３枚目の引戸に係合されることで容易に可能となる。
【００６８】
また、実施の形態（１）（２）（３）から明らかなように、連動引戸ユニット１１０及び自閉引戸ユニット１５０（２５０、３５０）は、上下どちらにも取付が可能である。したがって、連動引戸ユニットと自閉引戸ユニットを上下所望位置に配置することが可能となる。これにより、上吊式の引戸、下荷重式の引戸、及び、外付け式の引戸にも適用可能な汎用性の高い自閉式連動引戸装置を得ることができる。
【００６９】
【発明の効果】
以上のように、本発明に係る自閉式連動引戸装置は、連動引戸ユニットと自閉引戸ユニットとを独立して上下所望位置に配置することが可能とされ、１枚の引戸を開放することで連動引戸ユニットにより隣接する引戸を連動して開放することを可能にするとともに、閉止する際は、自閉引戸ユニットにより隣接する引戸を伴って自閉が可能になる。したがって、複数の引戸の開閉時に操作の煩わしさを解消することができる。
【図面の簡単な説明】
【図１】  本発明に係る自閉式連動引戸装置の実施の形態（１）を示す斜視図である。
【図２】  本発明に係る自閉式連動引戸装置の実施の形態（１）を示す側面断面図である。
【図３】  本発明に係る自閉式連動引戸装置の実施の形態（１）を示す分解斜視図である。
【図４】  本発明に係る自閉式連動引戸装置の実施の形態（１）を示す斜視図である。
【図５】  本発明に係る自閉式連動引戸装置の実施の形態（１）を示す正面図である。
【図６】  本発明に係る自閉式連動引戸装置の実施の形態（１）を示す平面図である。
【図７】  本発明に係る自閉式連動引戸装置の実施の形態（２）を示す正面図である。
【図８】  本発明に係る自閉式連動引戸装置の実施の形態（２）を示す側面断面図である。
【図９】  本発明に係る自閉式連動引戸装置の実施の形態（３）を示す正面図である。
【図１０】  本発明に係る自閉式連動引戸装置の実施の形態（３）を示す側面断面図である。
【図１１】  従来例の自閉式引戸装置を示す三面図である。（ａ）は正面図、（ｂ）は右側面図、（ｃ）は左側面図である。
【符号の説明】
１ａ              引戸
１ｂ              引戸
１ｃ              衝立
１ｄ              下端面
２                堀込ベース
３                プーリ
４                無端条体
５（５ａ、５ｂ）  スライダ
６                取付ベース
７                ガイドレール
８                収納空間
２１              基部
２２              脚部
２３              スペーサ
３１              溝
３２              プーリ固定軸部材
５１              係合片
５５              ガイド受け部材
６１              コ字状内部
６２              基部
６３              脚部
７１              案内空間
８１              案内空間
９１              レール
１００、２００    自閉式連動引戸装置
３００            自閉式連動引戸装置
５５１            係合溝
９００            戸車
【図１】
0004638631.tif 000002
【図２】
0004638631.tif 000003
【図３】
0004638631.tif 000004
【図４】
0004638631.tif 000005
【図５】
0004638631.tif 000006
【図６】
0004638631.tif 000007
【図７】
0004638631.tif 000008
【図８】
0004638631.tif 000009
【図９】
0004638631.tif 000010
【図１０】
0004638631.tif 000011
【図１１】
0004638631.tif 000012